(57)【要約】【課題】装置の設定や状態に連動してＳＫＩＮデザインを任意に変更可能とする動画像記録再生装置および画像パターン表示の変更方法を、提供する。【解決手段】この発明の実施形態は、複数のＳＫＩＮデータを保持した記憶手段から任意のＳＫＩＮデータを読み出し、表示装置へ出力する読出し手段と、前記表示装置に出力する表示情報を記録した第１の記録メディアが再生される場合と第２の記録メディアが再生される場合とで、前記読出し手段が読み出す前記ＳＫＩＮデータを自動的に変更する制御部とを有する。【選択図】図１
2011100460.tif 000002
【特許請求の範囲】
【請求項１】
複数のＳＫＩＮデータを保持した記憶手段から任意のＳＫＩＮデータを読み出し、表示装置へ出力する読出し手段と、
前記表示装置に出力する表示情報を記録した第１の記録メディアが再生される場合と第２の記録メディアが再生される場合とで、前記読出し手段が読み出す前記ＳＫＩＮデータを自動的に変更する制御部とを有する動画像記録再生装置。
【請求項２】
前記複数のＳＫＩＮデータに含まれるＳＫＩＮ管理データには、表示する画像のアスペクト比を指定する情報が含まれており、このアスペクト比を指定する情報に基づいて前記表示装置でのアスペクト比を制御する手段を有する請求項１記載の動画像記録再生装置。
【請求項３】
前記記録メディアは、ハードディスク又は光ディスク又は半導体メモリであることを特徴とする請求項１記載の動画像記録再生装置。
【請求項４】
複数のＳＫＩＮデータを保持した記憶手段から任意のＳＫＩＮデータを読み出し、表示装置へ出力する読出し手段と、前記読出し手段を制御する制御部と用いる動画像記録再生方法において、
前記表示装置に出力する表示情報を記録した第１の記録メディアが再生される場合と第２の記録メディアが再生される場合とでは、前記読出し手段が読み出す前記ＳＫＩＮデータを自動的に変更する動画像記録再生方法。
【請求項５】
前記複数のＳＫＩＮデータに含まれるＳＫＩＮ管理データには、表示する画像のアスペクト比を指定する情報が含まれており、このアスペクト比を指定する情報に基づいて前記表示装置でのアスペクト比を制御する請求項４載の動画像記録再生方法。
【発明の詳細な説明】
【技術分野】
【０００１】
この発明は、装置の設定や状態に連動してＳＫＩＮデザインを任意に変更可能とする動画像記録再生装置及び方法に関する。
【背景技術】
【０００２】
映像を表示可能なモニタ装置を有するパーソナルコンピュータやビデオカメラあるいはテレビ受像機に接続された動画像記録再生装置に表示されるメニュー画面や設定画面は、ユーザの好みに基づいて変更可能である。また、再生対象のデータの供給元あるいは接続された機器により、さまざまな起動画面（スプラッシュ）の表示が提案されている。
【０００３】
なお、特許文献１には、再生スタイル（オーディオ音量、イコライザ等）の切換に連動してメニュー画面のデザインを変更させることが開示されている。
【特許文献１】特開２００１−３２５７６８号公報
【発明の概要】
【発明が解決しようとする課題】
【０００４】
しかし、従来は、装置の起動画面や各設定表示項目画面に表示するデザインの変更については考慮されていないため、ユーザごとの好みに応じられず、差別化できないという問題がある。
【０００５】
この発明の目的は、上記問題点を解決するために、装置の設定や状態に連動して画像の表示すなわちＳＫＩＮデザインを任意に変更可能であり、再生画像のソース（記録メディア）に応じてＳＫＩＮデータが変更される動画像記録再生装置及び方法を提供することである。
【課題を解決するための手段】
【０００６】
本明細書で開示される一実施形態では、複数のＳＫＩＮデータを保持した記憶手段から任意のＳＫＩＮデータを読み出し、表示装置へ出力する読出し手段と、前記表示装置に出力する表示情報を記録した第１の記録メディアが再生される場合と第２の記録メディアが再生される場合とでは、前記読出し手段が読み出す前記ＳＫＩＮデータを自動的に変更する制御部とを有する。
【図面の簡単な説明】
【０００７】
【図１】映像装置におけるＳＫＩＮ機能を説明する概略図。
【図２】記録再生装置の構成を示すブロック図。
【図３】ＳＫＩＮ変更、取得、一覧表示、登録、管理に関する。
【図４】ＳＫＩＮ取得先選択画面の表示例を示す概略図。
【図５】ＳＫＩＮ一覧選択画面の表示例を示す概略図。
【図６】ＳＫＩＮ管理データの表示例を示す概略図。
【図７】変更したＳＫＩＮを元に戻す際の画面の表示例を示す概略図。
【図８】ＳＫＩＮ管理データと機器設定情報とに基づいてＳＫＩＮが自動的に変更される例を説明するフローチャート。
【図９】ＳＫＩＮ管理データと機器の状態とに基づいてＳＫＩＮが自動的に変更される例を説明するフローチャート。
【図１０】ＳＫＩＮデザインを変更する際の手順の一例を示すフローチャート。
【発明を実施するための形態】
【０００８】
以下、図面を参照して、この発明の実施の形態について詳細に説明する。
【０００９】
図１は、本発明による映像装置におけるＳＫＩＮ機能の実施の形態の一例を、概略的に示す。なお、ＳＫＩＮとは、アプリケーションのＵＩ（ユーザインタフェイス）に画像を貼り付けて見た目（画面）を変更する仕組み、あるいは貼り付ける画像そのものを指す。すなわち、図１において、この発明は、記録再生装置１と一体的に接続された、もしくは一体に形成された映像装置（表示装置）５に表示される表示に関する。なお、図２は、図１に示した記録再生装置１および映像装置４の構成を説明する概略ブロック図である。
【００１０】
記録再生装置１は、制御部１１、ＲＯＭ１２、ＲＡＭ１３、操作部１４、ＴＶチューナ部１５、信号処理部１６、ハードディスク装置１７、メディア書き込み／読み出し装置１８、ネットワークインタフェイス１９、およびリモートコントロール受信器２０等を含む。なお、それぞれは、データバス２１により相互に接続されている。ＴＶチューナ部１５には、詳述しないが、公衆向け放送を受信するアンテナ１５Ａが接続される。また、信号処理部１６には、ＡＶｏｕｔ（出力端）が設けられ、映像装置（表示装置）５が接続される。
【００１１】
制御部１１は、例えばマイクロコンピュータを含み、記録再生装置１内の上述した各部（回路）の動作を制御する。
【００１２】
ＲＯＭ１２には、制御部１１が実行すべきプログラムや初期設定情報等の所要の情報が格納される。なお、ＲＯＭ１２は、装置１の電源がオフされた場合であっても、それまでの記憶内容が保持されるとともに、書き換え可能なメモリ素子である。
【００１３】
ＲＡＭ１３には、制御部１１が各種処理を実行する際に参照するデータや、制御部１１によるさまざまな処理の過程において生成したデータ等が保持（記憶）される。
【００１４】
操作部１４は、記録再生装置１の本体に設けられる複数の操作子（ボタンやスイッチ）を含む。操作部１４の任意のボタンやスイッチが操作されることにより、制御部１１に、所要の制御処理を実行するための制御信号が入力される。なお、操作部１４は、リモートコントロール受信器２０を経由してリモートコントロール端末３から入力される制御信号と並列に動作可能である。
【００１５】
ＴＶチューナ部は１５は、アンテナ１５Ａにより受信した放送局あるいは放送衛星からの放送波を入力し、制御部１１の制御に指示に応じたチャンネルを選局する。受信された放送波は、例えばストリームデータとして信号処理部１６に出力される。
【００１６】
信号処理部１６においては、入力されたストリームデータから、ユーザの要求に従って必要な番組（チャンネル）のデータが抽出されて、例えば圧縮されたビデオデータ（以下単にビデオデータと示す）および圧縮されたオーディオデータ（単にオーディオデータと示す）が得られる。このようにして得られたビデオデータとオーディオデータは、制御部１１の制御に基づいて、例えば録画のために、ハードディスク装置１７に転送され、内蔵された図示しないハードディスクに記録される。なお、記録先としては、例えばメディア書き込み／読み出し装置１８に装着された記録メディア２であってもよい。例えば、書き込み／読み出し装置１８は、光ディスク装置であって、記録メディア２としては、ＤＶＤディスク（光ディスク）である。もちろん、書き込み／読み出し装置１８は、図示しないが、例えば半導体メモリ（メモリカード）への（映像の）記録およびメモリカードからの（映像の）再生が可能な固体メモリ装置であってもよい。
【００１７】
また、信号処理部１６は、詳述しないが、例えばビデオインタフェース（Video I/F）部，ＯＳＤ（On Screen Display）処理部およびビデオデコーダ（Video Decoder）部等を含み、表示出力のための画像信号すなわちビデオ信号を生成する。従って、以下に説明するＳＫＩＮ画像およびその変更の間のさまざまな表示も、信号処理部１６からＡＶｏｕｔを介して表示装置（映像装置）５に出力される。
【００１８】
ネットワークインタフェイス１９は、詳述しないが、広く普及しているネットワーク５と接続されることで、任意のデータを取得可能である。また、ユーザの要求により、もしくは記録再生装置１の動作の過程において、ネットワーク５に接続される図示しない情報提供元（装置１の製造元のホームページや、外部サーバ等）に、所定のデータを送信することもできる。なお、ネットワークインタフェイス１９は、無線方式であっても、有線によるものであってもかまわないことはいうまでもない。
【００１９】
ネットワークインタフェイス１９により取得されたデータは、ネットワークインタフェイス１９において、例えばアンパケット化等の処理が施され、記録再生装置１が処理可能な形式のデータに変換される。このようにして得られたデータは、データバス２１により記録再生装置１の所要の要素に転送され、必要に応じて記憶される。
【００２０】
記録再生装置１においては、操作部１４またはリモートコントロール端末３から、記録されている映像の再生が指示されると、制御部１１の制御によりハードディスク装置１７に記憶されている録画ファイルのうちから、再生指示された録画ファイルが検索される。再生が指示された録画ファイルは信号処理部１６に出力され、信号処理部１６において、デコード（伸長）される。これにより、ビデオデータに対応する動画像信号とオーディオ信号が得られる。
【００２１】
動画像信号およびオーディオ信号は、ＡＶ出力端（ＡＶｏｕｔ）に出力され、出力端に接続された映像装置４に、供給される。これにより、録画番組としての動画像と対応する音声（音響）が出力される。
【００２２】
ハードディスク装置１７は、容量の大きなハードディスクと、ハードディスクにデータを書き込み、あるいはハードディスクからデータを読み出すドライバ部とを含む。周知のように、ハードディスクは、圧縮率に支配されるが、例えば現行のテレビ放送を標準的な圧縮率で記録する場合に、数１００時間の動画（番組、あるいはタイトル）が記録可能である。また、メディア書き込み／読み出し装置１８に装填された記録メディア２から読み出したデータも、ハードディスク装置１７に保存させることができる。もちろん、制御部１１が実行すべきアプリケーションプログラムの記憶も可能である。
【００２３】
メディア書き込み／読み出し装置１８は、装填された記録メディア２に記録されている映像あるいはＳＫＩＮデータを読み出し、ハードディスク装置１７あるいはＲＡＭ１３に転送可能である。
【００２４】
このような、記録再生装置１および表示装置４においては、例えば記録メディア２からＳＫＩＮデータが読み出された場合、記録メディア２から取得したＳＫＩＮ一覧選択画面５０１（図１参照）が映像装置（表示装置）５に表示される。なお、ＳＫＩＮデータは、ネットワーク５を通じて取得することもできる。
【００２５】
図３は、ＳＫＩＮ変更、取得、一覧表示、登録、管理に関する流れ図である。
【００２６】
ステップＳ３０１により、ＳＫＩＮの変更が指示（選択）されることで、ＳＫＩＮ取得先選択画面４０１（図４参照）が、表示装置４に表示される（ステップＳ３０２）。取得先選択（取得先変更）画面には、取得先として、例えばネットワーク（ｗｅｂ等）を指示可能なボタンあるいはアイコン等のＧＵＩ表示４０２や、ＣＤ−ＲＯＭやＤＶＤ−Ｒ等に代表されるメディアを指示可能なボタンあるいはアイコン等のＧＵＩ表示４０３が、表示される。
【００２７】
ステップＳ３０２において、任意のＧＵＩ表示４０２または４０３が、例えばリモートコントロール端末３の操作により選択されることで、対応するＳＫＩＮ画像供給元に保持されているＳＫＩＮ画像を一覧表示するＳＫＩＮ一覧選択画面５０１（図５参照）が表示される（ステップＳ３０３）。なお、ＳＫＩＮ一覧選択画面５０１が表示されると、平行して、あるいはバックグラウンドにて、直前に、あるいは一覧選択画面５０１のＳＫＩＮとして表示されているＳＫＩＮデザイン（＊）のＳＫＩＮデータが、ＳＫＩＮ管理データ６０１（図６参照）として、予め決められているシステム領域（ＲＯＭ１２またはＨＤＤ１７等）に記録される（ステップＳ３０４）。
【００２８】
次に、ステップＳ３０３で表示されたＳＫＩＮ一覧選択画面５０１から任意のＳＫＩＮデザイン（ｎ）が、例えばリモートコントロール端末３の操作により選択されることで、対応するＳＫＩＮ画像のデータ（ｎ）が供給元から読み出され、表示装置４の表示が変更される（ステップＳ３０５）。
【００２９】
続いて、あるいは所定時間経過後、ステップＳ３０５において表示されたＳＫＩＮ画像に決定するか、ＳＫＩＮ画面の変更を取りやめるか、の指示を入力させるためのＳＫＩＮデザイン確定画面７０１（図７参照）が表示される（ステップＳ３０６）。なお、ＳＫＩＮデザイン確定画面７０１は、ＳＫＩＮ画面を元に戻すか否かを指示可能な、例えば「はい（元のＳＫＩＮに戻す）」ボタンあるいはアイコン等のＧＵＩ表示７０２と「いいえ（直前に選択されたＳＫＩＮを用いる）」ボタンあるいはアイコン等のＧＵＩ表示７０３と「取り消し（ＳＫＩＮ変更を中止する）」ボタンあるいはアイコン等のＧＵＩ表示７０４を、含む。
【００３０】
ステップＳ３０６において、ＧＵＩ表示７０４（「取り消し」）が指示された場合（Ｓ３０６−Ｙｅｓ）、ＳＫＩＮ変更が中止され、元の表示に戻される。
【００３１】
次に、ステップＳ３０７において、ＧＵＩ表示７０３（「いいえ」）とリモートコントロール端末３により、新たに読み出された（変更しようとしている）ＳＫＩＮ（ｎ）への変更が指示された場合（Ｓ５０７−Ｙｅｓ）、表示装置４のＳＫＩＮデザインが現在表示されているＳＫＩＮ（ｎ）に変更され、さらにＳＫＩＮ管理データが書き換えられる（Ｓ３０８）。
【００３２】
これに対し、ステップＳ３０７において、ＧＵＩ表示７０２（「はい」）が選択された場合（Ｓ５０７−Ｎｏ）、表示装置４のＳＫＩＮ画像は、それまでに表示されていたＳＫＩＮ（＊）に戻される。この場合、関連する情報も、元の状態に戻されることはいうまでもない。
【００３３】
このように、ユーザから、任意のＳＫＩＮデザイン（ｎ）がリモートコントロール端末３等の操作により選択されることにより、取得されたＳＫＩＮ情報（ＳＫＩＮ（ｎ））に基づいて、表示装置４の現在のＳＫＩＮデザイン（＊）が、選択されたＳＫＩＮデザイン（ｎ）に変更される。なお、ＳＫＩＮの変更に際しては、変更されている内容のチェック（確認処理）、必要な情報の取り出し、および（変更されたデータの）保存処理等が実行される。
【００３４】
上述したＳＫＩＮの変更は、例えば、初期設定に用いる画面のデザインや、背景画面のデザイン等との、任意の組み合わせが可能である。また、起動時の画面（スプラッシュ）等も変更可能である。すなわち、ユーザが好む任意のＳＫＩＮデザイン（ｎ）、例えば、トロピカル（ＳＫＩＮ２）、パステル（ＳＫＩＮ３）あるいはクラッシク（ＳＫＩＮ４），・・・，ＳＫＩＮ６（特定のＳＫＩＮ）等を随時、設定することができる。
【００３５】
なお、変更されたＳＫＩＮ（ｎ）の管理データの記録に先立って、現在利用されているＳＫＩＮ（＊）に戻す場合に用いる管理データも同様に記録される。この処理により、例えば異なるユーザが、そのユーザが特別に利用したい固有のＳＫＩＮデザインを希望する場合や、特定の作業またはアプリケーションの利用等のさまざまな条件と関連付けて、優先させるＳＫＩＮデザインの設定（自動変更）が可能となる。また、ＨＤＤ１７に記録された動画の再生とメディア書き込み／読み出し装置からの情報の再生等のソースの違い等において、優先させるＳＫＩＮデザインの設定（自動変更）が可能となる。なお、日頃、多様される機能を優先させる画面（ＳＫＩＮ）とすることで、例えば、音声出力と字幕表示等、あるいはユーザ毎に、画面（ＳＫＩＮ）を効率良く表示することが可能である。
【００３６】
図６は、ＳＫＩＮ管理データの一例を説明する概略図である。ＳＫＩＮ管理データは、例えば機種情報、ＳＫＩＮ情報およびデータ数等が記録された管理部６０２と、それぞれのデータ（１〜ｎ）毎に用意されるデータ記述部６０３を含む。個々のデータの記述部には、例えば「表示する状態情報（初期画面、初期設置等の情報）」、「表示関連情報（前候補）」および表示関連情報（後候補）」等を含む『表示項目情報』と、例えば「データタイプ（ファイル形式、ＰＮＧ，ＪＰＥＧ，ＢＰＭ等）」、「データ（ファイル）名」、「データ量（サイズ）」、「縦方向のサイズ」、「横方向のサイズ」および「表示開始位置情報（Ｘ０＝横方向起点，Ｙ０＝縦方向起点，Ｘ１＝横方向終点，Ｙ１＝縦方向終点）」等である『表示するデータ（イメージ等）を管理する情報』を、少なくとも含む。
【００３７】
図６に示すＳＫＩＮ管理データ６０１は、ＳＫＩＮ画像を表示するために必要な情報を管理するために生成され、記録再生装置１の起動時に、制御部１１の制御により記憶装置（ＲＯＭ１２あるいはＨＤＤ１７）からワークメモリ（ＲＡＭ）１３に読み込まれる。
【００３８】
従って、このＳＫＩＮ管理データに基づいて、起動時のＳＫＩＮ画面や、各機能の設定項目におけるＳＫＩＮ画面が表示される。また、ＳＫＩＮ管理データには、そのＳＫＩＮが起動（自動変更）されるタイミング（条件）が含まれることから、例えばユーザ毎の、あるいは利用するアプリケーション毎の、もしくはＨＤＤ１７に記録された動画の再生とメディア書き込み／読み出し装置からの情報の再生等のソースの違いにおいて、ＳＫＩＮデザインの設定（自動変更）が可能となる。なお、自動変更のタイミングとしては、以下に説明するが、例えば画面サイズ情報を用いることができる。また、メディア書き込み／読み出し装置にセットされるメディアの種別および規格およびそのためのメディアの取り出しと装着、あるいはユーザ毎のログイン等のさまざまな情報が利用可能である。
【００３９】
図８は、図６により説明したＳＫＩＮ管理データ６０１と機器設定情報とにより、ＳＫＩＮデザインを自動的に変更する一例を示すフローチャートである。なお、図８は、表示装置４の画面サイズ（アスペクト比）に従って、ＳＫＩＮデザインを自動的に変更する例である。
【００４０】
まず、ＳＫＩＮ管理データ６０１が読み込まれる（ステップＳ８０１）。続いて、表示装置（テレビ受像器）５の設定情報が読み込まれる（ステップＳ８０２）。
【００４１】
次に、ＴＶ画面形状（受像機のアスペクト比）が、１６：９か否かが判断される（ステップＳ８０３）。ステップＳ８０３において、アスペクト比が１６：９の場合（Ｓ８０３−Ｙｅｓ）、予め関連付けられている１６：９のＳＫＩＮデザインが読み出され、画面が変更される（ステップＳ８０４）。
【００４２】
図９は、図６に示したＳＫＩＮ管理データ６０１と機器の動作状態とにより、ＳＫＩＮデザインを自動的に変更する一例を示すフローチャートである。
【００４３】
まず、ＳＫＩＮ管理データ６０１が読み込まれる（ステップＳ９０１）。続いて、記録再生装置の状態（動作状態）がチェックされる（ステップＳ９０２）。なお、動作状態としては、動画（映像）の録画中の一時停止（ポーズ）とする。
【００４４】
次に、動作状態がポーズ中か否かを判断し（ステップＳ９０３）、ポーズ中である場合（Ｓ９０３−Ｙｅｓ）、ポーズ向けのＳＫＩＮに変更する（ステップＳ９０４）。なお、録画中のポーズ向けにＳＫＩＮ画像を変更することは、ポーズ（一時停止）中であることをユーザに明確に報知可能であるから、例えばポーズを解除し損なう（録画動作への復帰タイミングを逸する）ことが低減される。
【００４５】
図１０は、実際に、ＳＫＩＮデザインを変更する際の手順の一例を示すフローチャートである。なお、図１０においては、リモートコントローラ端末のＳＫＩＮ変更ボタン（操作子）の１回の操作により、ポーズ中のＳＫＩＮデザインを変更する例を示す。
【００４６】
ポーズのＳＫＩＮを変更する場合、まず、映像（動画）の録画中または再生中に、図示しないポーズキー（ボタン）により、表示されている映像にポーズをかける（ステップ１００１）。
【００４７】
ステップ１００１においてポーズがかけられることにより、ポーズ向けのＳＫＩＮ画像が表示されている状態で、リモートコントロール端末３のＳＫＩＮ変更ボタン３Ａ（図１参照）がオンされることで（ステップＳ１００２）、図６を用いて既に説明したＳＫＩＮ管理データ６０１がＳＫＩＮデータ記録先から読み出される（ステップＳ１００３）。
【００４８】
これにより、ポーズ向けのＳＫＩＮとして次の候補として登録されているＳＫＩＮ画像が表示装置４に表示される（ステップＳ１００４）。なお、所定時間の間、ＳＫＩＮ変更ボタン３Ａがオンされないことが検知された場合には（ステップＳ１００５−Ｙｅｓ）、現在表示されているＳＫＩＮ画像がポーズ向けＳＫＩＮ画像として設定される（ステップＳ１００６）。一方、引き続いてＳＫＩＮ変更ボタン３Ａがオンされた場合（ステップＳ１００５−Ｎｏ）、ステップＳ１００４により、次のＳＫＩＮ画像候補として登録されているＳＫＩＮ画像が表示装置に表示される。
【００４９】
以上説明したように、本発明によれば、記録再生装置の起動画面（スプラッシュ等）、各設定機能の表示項目で画面に表示されるデザインおよび背景デザインを自由に変更することが可能である。例えば、ユーザ毎に、好みのデザインを使用可能となる。また、優先的に使用する機能（頻度の高い機能）が実行されていることが容易に確認可能なデザイン設定とすることができる。さらに、表示されるデザインの変更（サイズ等を含む）および表示位置の変更によるプログラムの修正が不要になる。
【００５０】
これにより、装置の設定や状態に連動して、画像のデザインを容易に変更させることが可能となり、表示するデザインの容易な変更は、例えばＯＥＭ（相手先商標製造）製品の差別化に、有効である。
【００５１】
なお、上述した本発明は、テレビ受像機に限らず、モニタ装置や、ビデオカメラ装置等の少なくとも画像を表示可能な機器であれば、実施可能であることはいうまでもない。
【００５２】
また、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００５３】
１…記録再生装置、３…リモートコントロール端末、４…表示装置、１１…制御部、１２…ＲＯＭ、１３…ＲＡＭ（ワークメモリ）、１６…信号処理部、１７…ＨＤＤ（ハードディスク装置）、１８…メディア書き込み／読み出し装置、１９…ネットワークインタフェイス、２０…リモートコントロール受信器。
【図１】
2011100460.tif 000003
【図２】
2011100460.tif 000004
【図３】
2011100460.tif 000005
【図４】
2011100460.tif 000006
【図５】
2011100460.tif 000007
【図６】
2011100460.tif 000008
【図７】
2011100460.tif 000009
【図８】
2011100460.tif 000010
【図９】
2011100460.tif 000011
【図１０】
2011100460.tif 000012